(57)【要約】      （修正有）【課題】傘を開いたときに傘骨ユニットの親骨が生地の影響を受けて内側に湾曲することを防いで、捲れ上がることも防ぐ折り畳み傘構造を提供する。【解決手段】折り畳み傘構造は、中棒１０と、中棒１０上に摺動可能に設けられたランナースリーブ１５と、中棒１０の頂部に接続された上ろくろ２０と、ランナースリーブ１５上に設けられた下ろくろ２５と、上ろくろ２０と下ろくろ２５との間に枢着された複数の傘骨ユニット３００とを備える。傘骨ユニット３００は、上ろくろ２０に枢着された親骨３０と、下ろくろ２５に枢着された受骨４０とをそれぞれ有する。親骨３０は、互いに直列接続された第１の折骨３１、回転ベース３４及び第２の折骨３５から構成されてなる。第１の折骨３１は、一端に上ろくろ２０が枢設され、他端に接続ベース３２を有する。回転ベース３４上には、軸棒３３０が挿通される１本の長孔溝が形成される。【選択図】図１
0003233201.tif 000002
【実用新案登録請求の範囲】
【請求項１】
中棒と、前記中棒上に摺動可能に設けられたランナースリーブと、前記中棒の頂部に接続された上ろくろと、前記ランナースリーブ上に設けられた下ろくろと、前記上ろくろと前記下ろくろとの間に枢着された複数の傘骨ユニットと、を備えた折り畳み傘構造であって、
前記傘骨ユニットは、前記上ろくろに枢着された親骨と、前記下ろくろに枢着された受骨と、をそれぞれ有し、前記親骨は、互いに直列接続された第１の折骨、回転ベース及び第２の折骨から構成されてなり、
前記第１の折骨は、一端に前記上ろくろが枢設され、他端に接続ベースを有し、前記回転ベース上には、軸棒が挿通される１本の長孔溝が形成され、前記第２の折骨は、前記回転ベースの前記第１の折骨が設けられていない方の端部に一端が挿着され、他端が露先を有し、前記露先の前記第２の折骨の上方には補助骨が設けられ、前記補助骨は、前記回転ベースに対応した一端に先だぼが設けられ、前記接続ベースの前記軸棒が前記回転ベースの前記長孔溝に挿通され、
前記受骨の他端は、くび曲がりを介して前記親骨の前記第１の折骨の中段に枢設され、前記受骨は、前記くび曲がりに隣接した箇所にばねの一端が設けられ、前記ばねの他端は、前記回転ベースに固定されることを特徴とする、折り畳み傘構造。
【請求項２】
前記親骨の前記第１の折骨の前記接続ベースは、音叉型枢着耳を有し、
前記音叉型枢着耳内には、前記軸棒を介して前記回転ベースが挟まれるように枢着されることを特徴とする請求項１に記載の折り畳み傘構造。
【請求項３】
前記回転ベースは、前記第１の折骨の一端に対応した固定杆を有し、
前記受骨の前記ばねは、前記固定杆に固定されることを特徴とする請求項１に記載の折り畳み傘構造。
【請求項４】
前記親骨の前記補助骨の前記先だぼ上には、軸孔が形成され、
前記軸孔には、前記第１の折骨の前記接続ベースの前記軸棒が挿設されることを特徴とする請求項１に記載の折り畳み傘構造。
【考案の詳細な説明】
【技術分野】
【０００１】
本考案は、傘の技術分野に関し、特に、迅速かつ確実に傘の開閉を行うとともに、効果的に支持機能を得て、傘を開いたときに傘骨ユニットの親骨が生地の影響を受けて内側に湾曲することを防いで生地を正常に開くことができる上、捲れ上がることも防ぐ、折り畳み傘構造に関する。
【背景技術】
【０００２】
傘は、雨、雪などに濡れることを防いだり、日差しを遮り涼しい環境を得たりすることができる用具である。一般の傘構造は、底端にハンドルが設けられた中棒と、中棒の頂部に接続された上ろくろと、下ろくろとを有するとともに、中棒に摺動可能に嵌設されたランナースリーブと、上ろくろと下ろくろとの間に枢着された複数の傘骨ユニットと、傘骨ユニットの外側表面に結合された生地と、を含み、ランナースリーブを操作することにより、傘骨ユニット及び生地を牽引し、傘の開閉を行っていた。従来の傘は、未使用時に傘を閉じると、生地が上から下向きにかけて内向きに折り畳まれるため、車内又は室内に入るときに使用者の体に生地表面の雨水がかかることがあった。そのため、これを防ぐために一部のメーカーは逆折り式の傘を開発した。
【０００３】
前述した逆折り式傘の傘骨ユニットは、主に上ろくろが枢設された親骨に、２段式折骨が枢着されて構成され、ランナースリーブの下ろくろに枢設された受骨が、上述した親骨中の上ろくろに隣接した折骨に押し当てられ、もう一つの折骨を逆折するため、ランナースリーブを中棒の開傘位置と閉傘位置との間で移動させることにより傘の開閉動作を行っていた。
【０００４】
しかし、従来の逆折り式の傘骨構造は、逆折り式傘の親骨が生地全体を支えるとともに、最大の風抵抗を受ける主な部位であったため、親骨の上ろくろの折骨の支持力が不足してしまう虞があった。親骨の２つの折骨の枢着点は、強風により破壊される中心箇所となり易く、突風などにより生地が捲れ上がると、親骨が折れたり変形したりすることがあり、開傘するときに生地が正常に開かれず、スムーズかつ確実に操作することができないことがあり、これらの問題点を改善することが求められていた。
【０００５】
そこで、本考案者は、上記課題を解決するための鋭意検討を重ねた結果、親骨の支持力不足により生じる従来技術の問題点及び不便さを改善することができる本考案に想到するに至った。
【考案の概要】
【考案が解決しようとする課題】
【０００６】
本考案の主な目的は、効果的に支持機能を得て、傘を開くときに親骨が生地の影響を受けて内側に湾曲することを防ぐとともに、生地を正常に開くことができ、捲れ上がることを防ぐ、折り畳み傘構造を提供することにある。
本考案のもう一つの目的は、迅速かつ確実に開傘及び閉傘の動作を行うことができ、スムーズに使用できて利便性が高いため実用的である、折り畳み傘構造を提供することにある。
【課題を解決するための手段】
【０００７】
上記課題を解決するために、本考案の第１の形態によれば、中棒と、前記中棒上に摺動可能に設けられたランナースリーブと、前記中棒の頂部に接続された上ろくろと、前記ランナースリーブ上に設けられた下ろくろと、前記上ろくろと前記下ろくろとの間に枢着された複数の傘骨ユニットと、を備えた折り畳み傘構造であって、前記傘骨ユニットは、前記上ろくろに枢着された親骨と、前記下ろくろに枢着された受骨と、をそれぞれ有し、前記親骨は、互いに直列接続された第１の折骨、回転ベース及び第２の折骨から構成されてなり、前記第１の折骨は、一端に前記上ろくろが枢設され、他端に接続ベースを有し、前記回転ベース上には、軸棒が挿通される１本の長孔溝が形成され、前記第２の折骨は、前記回転ベースの前記第１の折骨が設けられていない方の端部に一端が挿着され、他端が露先を有し、前記露先の前記第２の折骨の上方には補助骨が設けられ、前記補助骨は、前記回転ベースに対応した一端に先だぼが設けられ、前記接続ベースの前記軸棒が前記回転ベースの前記長孔溝に挿通され、前記受骨の他端は、くび曲がりを介して前記親骨の前記第１の折骨の中段に枢設され、前記受骨は、前記くび曲がりに隣接した箇所にばねの一端が設けられ、前記ばねの他端は、前記回転ベースに固定されることを特徴とする、折り畳み傘構造を提供する。
【０００８】
前記親骨の前記第１の折骨の前記接続ベースは、音叉型枢着耳を有し、前記音叉型枢着耳内には、前記軸棒を介して前記回転ベースが挟まれるように枢着されることが好ましい。
【０００９】
前記回転ベースは、前記第１の折骨の一端に対応した固定杆を有し、前記受骨の前記ばねは、前記固定杆に固定されることが好ましい。
【００１０】
前記親骨の前記補助骨の前記先だぼ上には、軸孔が形成され、前記軸孔には、前記第１の折骨の前記接続ベースの前記軸棒が挿設されることが好ましい。
【考案の効果】
【００１１】
本考案の折り畳み傘構造は、以下（１）及び（２）の効果を有する。
（１）効果的に支持機能を得て、傘を開くときに親骨が生地の影響を受けて内側に湾曲することを防ぐとともに、生地を正常に開くことができ、捲れ上がることを防ぐことができる。
（２）迅速かつ確実に開傘及び閉傘の動作を行うことができるため、スムーズに使用できて利便性が高いため実用的である。
【図面の簡単な説明】
【００１２】
【図１】図１は、本考案の一実施形態に係る折り畳み傘構造中の傘骨ユニットを示す斜視図。
【図２】図２は、本考案の一実施形態に係る折り畳み傘構造中の傘骨ユニットを示す分解斜視図であり、各主要部材を示す態様及びその相対関係を示す。
【図３】図３は、本考案の一実施形態に係る折り畳み傘構造中の傘骨ユニットの開傘状態を示す側面図であり、組立てた後の開傘状態の相対関係を示す。
【図４】図４は、本考案の一実施形態に係る折り畳み傘構造中の傘骨ユニットの閉傘状態を示す側面図であり、組立てた後の閉傘状態の相対関係を示す。
【図５】図５は、本考案の一実施形態に係る折り畳み傘構造中の傘骨ユニットの閉傘状態を示す部分断面図であり、閉傘状態の相対関係を示す。
【図６】図６は、本考案の一実施形態に係る折り畳み傘構造中の傘骨ユニットの半開傘状態を示す部分断面図であり、半開傘状態の相対関係を示す。
【図７】図７は、本考案の一実施形態に係る折り畳み傘構造中の傘骨ユニットの開傘状態を示す部分断面図であり、開傘状態の相対関係を示す。
【図８】図８は、本考案の一実施形態に係る折り畳み傘構造中の傘骨ユニットの開傘状態を示す断面図であり、開傘後の相対関係を示す。
【考案を実施するための形態】
【００１３】
本考案の技術手段及びそれにより達成可能な効果を、より完全かつ明白に開示するために、開示した添付の図面及び符号と併せて本考案を以下で詳説する。
【００１４】
図１〜図４を参照する。図１〜図４に示すように、本考案の一実施形態に係る折り畳み傘構造は、底端にハンドルが設けられた中棒１０と、中棒１０上に摺動可能に設けられたランナースリーブ１５と、中棒１０の頂部に接続された上ろくろ２０と、ランナースリーブ１５上に設けられた下ろくろ２５と、上ろくろ２０と下ろくろ２５との間に枢着された複数の傘骨ユニット３００と、を含む。各傘骨ユニット３００の外側には、共同で結合されて生地（図示せず）を支え、ランナースリーブ１５を中棒１０の開傘位置１０１と閉傘位置１０２との間で移動させると、傘骨ユニット３００が牽引されて生地の開閉を行うことができる。
【００１５】
上述した各傘骨ユニット３００は、上ろくろ２０に枢着された親骨３０と、下ろくろ２５に枢着された受骨４０と、を含む。親骨３０は、互いに直列接続された第１の折骨（元親骨）３１及び第２の折骨（先親骨）３５から構成されてなる。第１の折骨３１は、一端に上ろくろ２０が枢設され、他端に接続ベース３２を有する。接続ベース３２は、音叉型枢着耳３３を有するとともに、軸棒３３０を介して回転ベース３４が枢着耳３３に取り付けられる。回転ベース３４上には、前述した軸棒３３０を挿通させる１本の長孔溝３４１が形成され、長孔溝３４１により回転ベース３４が接続ベース３２に対して枢着回転して変位する。回転ベース３４は、第１の折骨３１の一端に対応した固定杆３４２を有する。前述した第２の折骨３５は、回転ベース３４の第１の折骨３１が設けられていない方の端部に一端が挿着され、他端が露先３８を有する。露先３８の第２の折骨３５の上方には補助骨３６が設けられる。補助骨３６は、回転ベース３４に対応した一端に先だぼ３７が設けられる。先だぼ３７上には、軸孔３７０が形成され、前述した接続ベース３２の軸棒３３０が枢着耳３３及び回転ベース３４の長孔溝３４１に挿通された後、軸孔３７０に挿着され、長孔溝３４１を介して接続ベース３２及び先だぼ３７が回転ベース３４に対して変位する。
【００１６】
上述した受骨４０の他端は、くび曲がり３９を介して親骨３０の第１の折骨３１の中段に枢設され、受骨４０は、くび曲がり３９に隣接した箇所にばね４５の一端が設けられる。ばね４５の他端は、前述した回転ベース３４の固定杆３４２に固定される。受骨４０は、親骨３０の第１の折骨３１と回転ベース３４の第２の折骨３５とが同期で動作する。
【００１７】
上述したような構成により、開傘及び閉傘の動作をスムーズかつ確実に行うことができる。
【００１８】
図４及び図５を参照する。図４及び図５に示すように、本実施形態の折り畳み傘構造を実際に使用する際、正常な閉傘状態にあるとき、傘骨ユニット３００のランナースリーブ１５を中棒１０の閉傘位置１０２に下向きに位置決めし、ランナースリーブ１５の下ろくろ２５に枢設された受骨４０は、親骨３０の第１の折骨３１の自由端を下向きで中棒１０の周縁に収容するとともに、親骨３０の第２の折骨３５が回転ベース３４の長孔溝３４１を介して第１の折骨３１の接続ベース３２の軸棒３３０上に枢着され、補助骨３６には軸棒３３０を挿設する先だぼ３７が組み合わされ、回転ベース３４の長孔溝３４１に挿通された軸棒３３０により第２の折骨３５及び補助骨３６を反対方向で上方へ折り曲げると、傘を逆折り式に折り畳むことができる。
【００１９】
反対に、傘を開くときは、図５〜図８に示すように、傘骨ユニット３００のランナースリーブ１５を中棒１０の閉傘位置１０２から開傘位置１０１まで徐々に押し上げて中棒１０の開傘位置１０１に位置決めし、ランナースリーブ１５の下ろくろ２５に枢設した受骨４０を、上向きに押し広げて中棒１０の頂端に設けた上ろくろ２０の親骨３０の第１の折骨３１に枢着させる。また、受骨４０は、ばね４５を介して回転ベース３４を牽引して接続ベース３２に対して枢着回転させ（図６及び図７を参照する）、第２の折骨３５及び第１の折骨３１を略直線状にするとともに、第２の折骨３５が回転ベース３４により牽引され、第２の折骨３５の末端の露先３８も回転ベース３４の一端により牽引されて変位し（図６及び図７を参照する）、第２の折骨３５が先だぼ３７及び軸棒３３０を介して接続ベース３２の枢着耳３３に固定され、補助骨３６が露先３８の変位の影響を受け、弧状が変形して上方に凸となり、外方の支持力を発生させ、外側の生地が完全に支えられ、傘を開いたときに親骨３０の第２の折骨３５が生地の影響を受けて内側に湾曲することを防ぎ、生地を正常に開くことができる上、突風などにより生地が捲れ上がることを防ぐこともできる。
【００２０】
前述した構造により、本実施形態の折り畳み傘構造の傘骨ユニット３００は、回転ベース３４に形成された長孔溝３４１を介し、回転ベース３４に対して第２の折骨３５を駆動させ、軸棒３３０を接続ベース３２の補助骨３６に固定して距離を変え、親骨３０の補助骨３６が圧縮されて上方に凸となり、外側に向かう支持力が発生し、外側の生地が押し上げられ、傘を開くときの親骨３０の第２の折骨３５が生地の影響により内方に湾曲することを防いで、生地を正常に開くことができる上、突風などにより生地が捲れ上がることを防ぐこともでき、迅速かつ確実に開傘及び閉傘の動作を行うことができるため、操作し易くて実用的である。
【００２１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２２】
１０  中棒
１５  ランナースリーブ
２０  上ろくろ
２５  下ろくろ
３０  親骨
３１  第１の折骨（元親骨）
３２  接続ベース
３３  枢着耳
３４  回転ベース
３５  第２の折骨（先親骨）
３６  補助骨
３７  先だぼ
３８  露先
３９  くび曲がり
４０  受骨
４５  ばね
１０１  開傘位置
１０２  閉傘位置
３００  傘骨ユニット
３３０  軸棒
３４１  長孔溝
３４２  固定杆
３７０  軸孔
【図１】
0003233201.tif 000003
【図２】
0003233201.tif 000004
【図３】
0003233201.tif 000005
【図４】
0003233201.tif 000006
【図５】
0003233201.tif 000007
【図６】
0003233201.tif 000008
【図７】
0003233201.tif 000009
【図８】
0003233201.tif 000010